(57)【要約】【目的】鳥類による被害を被るすべての区域（含構築物、建物、空間）から生体に損傷を与えることなく、また環境への悪影響も残さずに、鳥類を退去させる手段を提供しようとするもので、同時に航空機と鳥類との衝突事故の防止策としても活用することを目的としている。【構成】鳥類を退去させようとする区域を紫外線、近赤外線が交錯、充満する光のバリヤーで囲み、その紫外線、近赤外線に関して絶えず移動、点滅、波長変動などを繰り返すことによって、その区域内の鳥類の視覚を攪乱して退去に至らせる。航空機と鳥類との衝突防止策としては機体に上記の光源を装備して進行方向前方に機体を頂点とする円錐又は角錐状などの紫外線、近赤外線バリヤーを形成することにより早期に鳥類を退去させる。【特許請求の範囲】
【請求項１】
鳥類を退去させたい空間（以下特定区域という）に向けて紫外線及び近赤外線を夫々単独に又は両者を合併して前記特定区域がこれらの光線で絶えず充満するように連続的又は点滅して照射することによって特定区域から鳥類を退去させる方法。
【請求項２】
特定区域の周辺又は区域内に反射光がこの区域に充満するに必要な数の紫外線、近赤外線多面反射体又は乱反射体を設置し、これに向けて紫外線及び近赤外線を夫々単独に又は両者を合併して連続的又は点滅して照射するか或いは光源自体を回転させつつ前記反射体に向けて順次繰り返し照射するか或いは反射体自体を回転することによって特定区域から鳥類を退去させる方法。
【請求項３】
航空機の進行方向の特定区域を充満するようにその航空機に装着した光源から紫外線及び近赤外線を夫々単独に又は両者を合併して連続的又は点滅して照射することによって特定区域から鳥類を退去させる方法。
【発明の詳細な説明】
【０００１】
【産業上の利用分野】
この発明は空港及びその周辺空域、田畑果樹園など農産物生産地区、家畜飼育場、ゴミ廃棄物集積場、鉄塔電柱などの構築物、公共の建物広場、文化財的建物及び一般建築物など鳥類による直接又は間接の被害を被る場所から鳥類を退去させる方法に関する。さらにジェット航空機のバードストライク防止の手段として利用できる。
【０００２】
【従来の技術】
雀による稲の食害防止対策として昔からよく知られているのは案山子、キララ紙、花火爆竹がある。野菜、果菜については播種後一定期間シートや網をかけて保護する方法が行なわれている。果樹の場合は一本ごとに網をかけたり果樹園ごと網を張って食害防止に努めている。家庭ごみステーションでは柵で囲ったり箱の中に収納したり網をかけてカラスのいたずらを阻止しようとしている。家庭向けに大きな目玉状の模様を画いた板や風船、さらに猫や蛇をかたどったものまで登場しているが排除効果は長続きしない。また磁石を吊して鳩などの方向感覚を攪乱しようとする方法も提案されているが必ずしも効果があるとはいえない。こうした所謂鳥害防止グッヅは一般的に確実で安定した効果は期待できない。高圧電線鉄塔は営巣に適しており針金などを巣材に使うためショートによる停電事故につながるので発見次第撤去しているのが実情である。神社仏閣の建物は営巣に最適な環境であるだけに糞害が酷く、このため貴重部分は網をかけて保護している。その他芝生にアンスラキノン類の薬品をスプレイしてその皮膜によって反射光の緑部をカットし鳥の視覚を欺く方法が提案されているが、その皮膜は雨水により簡単に流失しまた土壌汚染を招く懸念がある。
【０００３】
ジェット航空機のバードストライク防止に関しては、１９９６年に運輸省が「航空機と鳥の衝突防止に関する調査委員会」を発足させて以来、調査、実験、検証が行なわれてきた。その項目を列挙すると（１）釣り糸の伸張による鳥類の飛来防止（２）忌避剤（アントラニル酸メチル）（３）草地管理（４）猛禽類（５）遠隔操作式ガス砲（６）ロングレンジロケット（７）バードパトロールなどである。諸外国の空港では実際に鷹や隼を使っている例があるがこれまで提案された対策のなかで確定した技術といえるほどの手段はない。
【０００４】
【発明が解決しようとする課題】
前記のとおり多岐にわたる鳥類による被害に対して環境に乱れを生ぜずに確実に効果を発揮する防止手段はなく、また効果の持続が確認されたものはない。この発明は鳥類の本能的機能に対して工夫し特定区域からの退去を確実に遂行しようとするもので、昼夜を問わず、天候の如何にかかわらず、またいかなる場所、設備においても確実に効果を発揮する鳥類の退去方法を提供することを目的としている。
【０００５】
【課題を解決するための手段】
動物界において最も視覚の発達している鳥類はその視細胞の錐体細胞の中に普通の動物と同様一般的な色を識別するための青、緑、赤に吸収帯をもつ錐体色素のほかに紫外線感光色素を有している。さらに明暗を鋭く感知する能力も備えている。鳥類のもつこれらの優れた能力を逆に利用してこの発明においては不可視光線である紫外線及び近赤外線を夫々単独に又は両者を合併して連続的に又は点滅して鳥類に照射すると鳥類はその視覚、視神経が攪乱され不安感が増大し、紫外線や近赤外線が交錯充満する区域外へ退避、退去させられる。鳥類は頭のテッペンが薄くなっていて光が脳の松果体に当たる構造になつているので、必ずしも眼に直接紫外線、近赤外線が当たることが必須条件ではなく、鳥類を退去させたい特定区域を照射することで目的は達成される。また昼間は主として紫外線の照射が、夜間は近赤外線の照射が主として鳥類の視覚を刺激する。
【０００６】
この発明における光源としては各種の紫外線ランプ、赤外線ランプ、紫外線から近赤外線までを放射するキセノンランプなどが利用できる。もちろん発光ダイオード、レーザーダイオード、レーザー光源を組み合わせたり調節したりして利用する。キセノンランプを用いる場合には紫外線透過フィルターや赤外線透過フィルターを使用することにより可視光線が遮断されるので夫々紫外線及び赤外線の光源とすることができる。
【０００７】
光源は繰り返し発光機能即ち点滅機能を有することが必要である。光の点滅は生物の視覚にとって不快な刺激であり不安感を醸成するので特定区域から鳥類を退去させるための効果的な手段であり、この発明の特徴の一つである。点滅のほか光の動きや波長の変動もまた鳥類の錐体細胞や脳の松果体を異常に刺激するので攪乱効果が増大する。点滅の周期は鳥の種類により１００乃至０．１Ｈｚの間で経験的に選択すればよい。
【０００８】
鳥類を退去させたい特定区域が広大となると大気や塵などによる紫外線、赤外線の吸収も増加するのでそれに応じて出力の大きな光源又はエネルギー密度の大きな光が必要となる。光学レンズを用いて平行光線とするかレーザー光を利用することになるが、レーザー光の場合には光学的にそのエネルギー密度を下げて、鳥類の視覚機能に損傷を与えない程度に照度を調節して用いる。またレーザーは単色光であるので発光ダイオードの場合と同様に複数波長の光源を組み合わせて用いるか、チューナブルレーザー光源では紫外線、近赤外線の範囲内で周期的に常に波長を変化させつつ放射する。
【０００９】
比較的狭い特定区域においては光源からの直接照射により全域をカバーできるが、広大な特定区域内に紫外線、近赤外線が充満交錯する空間即ち光のバリヤーを形成するには複数の光源や多面反射体や乱反射体を組み合わせる。特定区域外への光線のはみ出しを制限するにはパラボラ型の多面反射体を区域境界に沿って配置し反射光ができるだけ特定区域内におさまるようにし、また特定区域内においてなるべく多方向に反射させるには表面に多数の小さなしわや凹凸をもったアルミニウム箔などの乱反射ボールを利用する。これらの反射体は固定式でもよいが、パラボラ型多面反射体の場合は左右首振り運動を、乱反射ボールの場合は回転運動を与えればより一層多方向に光を放射できる。さらにこれらの動く反射体を光源からの光線でスキャンニングすることもできる。以上のようにして特定区域に紫外線、近赤外線のバリヤーを形成する。
【００１０】
前記した反射体はそのままでは可視光線を反射するのでその反射光を人間が受けるのは好ましくない。その防止対策として前記反射体を紫外線透過フィルター、赤外線透過フィルターで覆うと可視光線の殆どがカットされるので人間の視覚への影響は無視できるようになる。
【００１１】
この発明を航空機のバードストライク防止へ適用する場合には航空機の速度が大きいことから航空機の進行方向前方における鳥類への早期退避警告としての光バリヤーを形成する必要がある。このため進行方向に機体を頂点とするたとえば円錐形状又は角錐形状の紫外線、近赤外線のバリヤーを形成できるような強力な光源と作動装置を装備する。
【００１２】
【作用】
鳥類は動物の内で最も優れた視覚の持ち主であり彼らが生きるための最大の武器はその卓越した視力であるといえる。それだけに彼らの視覚器官は劣化、老化病気に関して他の動物とは比較にならないほど頑健にできている。その上雑食性の鳥は天然の有毒物や果実の食頃などを正確に判別、選別する能力を生まれながらに具備している。この能力は鳥類に関してよくいわれる学習によって体得したものでは決してなく、そのメカニズムは一種の分光分析能力といえるもので、形や色や動きを認識する通常の視覚とは別に紫外線、赤外線の透過、反射を受けて物質の分子構造特に官能基などを判定するもう一つの視覚を持っていて餌の安全性や果実などの未熟か食頃かを瞬時に判定すると考えられている。また明暗を感知する能力にも優れ、僅かな光の位置、方向の認知が可能である。即ち明暗感光能力に優れてている。このような能力がなければ鳥類は生き延びてこられなかったわけである。
【００１３】
この発明は前記のような鳥類のもつ鋭い感光能力を逆手にとつて考案したもので、特定区域に絶え間ない動きや点滅を繰り返す紫外線、近赤外線が充満した光のバリヤーを形成することにより、区域内の鳥類は視覚に異状な刺激を受け続ける結果、神経不安から居心地が悪化しこの区域から退去せざるをえなくなるのである。この発明の方法は鳥類の最も重要な本能である視覚の攪乱を狙ったものであるから従来試みられてきた駆逐、排除の方法や用品などのように学習による慣れからくる効果の消失はありえず、鳥類を退去させる効果は持続する。ただし、橋梁や鉄塔などの構築物に取り付けられたフラッシュランプの強烈なフラッシュに幻惑されて大量の鳥が衝突死する例があるので使用する紫外線、近赤外線の照度に配慮する必要がある。
【００１４】
この発明は騒音の発生もなく、化学物質も使わず、また紫外線、近赤外線は人は感知できないのでこの光のバリヤー内でも人は視覚の攪乱の心配がなく、鳥類も神経不安を生ずるのみで生体やその視覚器官の組織へ直接損傷を与えないことがこの発明の特徴の一つである。即ちこの発明は自然にも人にも鳥にも配慮されたものといえる。
【００１５】
【実施例】
光源としてキセノンフラッシュランプ（波長：１６０〜２０００ｎｍ，発光繰り返し周波数：１００Ｈｚ以下，出力１５Ｗ）２個を用意し、一つは紫外線照射用とし、他の一つは近赤外線照射用とした。紫外線照射キセノンフラッシュランプの前面には可視光線を遮断し紫外線のみを透過する紫外線透過ガラスフィルターを装着した長さ１５０ｍｍのフードを取り付け、近赤外線照射キセノンフラッシュランプの前面には可視光線を遮断し赤外線のみを透過する赤外線透過ガラスフィルターを装着したフードを取り付けて目標の反射体以外へ光が拡散するのをできるだけ防止するようにした。発光繰り返し周波数は５０Ｈｚとした。
【００１６】
反射体はアルミニウム箔の光沢面を表にして丸めて無数のしわをつけたものを直径１００ｍｍの球状として用いた。２個の反射体をその中心を貫く一本の軸に団子状に各々５０ｍｍ離して固定した。一つは周囲を紫外線透過ガラスフィルターで囲み、他の一つは同様に赤外線透過ガラスフィルターで囲んだ。夫々紫外線反射用と近赤外線反射用であり、紫外線照射ランプは前者に向け、近赤外線照射ランプは後者に向けて５０Ｈｚの点滅照射をする。このようにすると反射体からの反射光は透過ガラスフィルターを少なくとも３回以上透過することになるのでフィルター一枚では可視光線を完全に遮断できなくても反射光線中の可視光線は実質的に殆ど減衰しまうので実施例テストへの可視光線の影響はないとみなせる。
【００１７】
木立のある家庭の庭の直径３ｍの地面の円（餌場円）の円周に沿って４本の反射体を等間隔に配置し、その内の一つは常時６ｒｐｍで回転させておく。この円の外側２ｍの位置に光源を設置し、回転反射体の円内側面に向けて点滅照射が遠隔操作によってできるように準備した。光源及び反射体を上記のように配置することにより反射体配置円内及び周辺空間には複雑に交錯する点滅紫外線、近赤外線の充満する区域、いわゆる光のバリヤーが形成される。４本の反射体をすべて回転させればより複雑なバリヤーとなるが今はその必要はない。
【００１８】
上記地面の円の中心付近に大豆、米粒、ぶどう、すもも、無花果を置いて雉鳩ひよどり、雀などの出現を待った。真っ先に飛来したのは雀の群れで直ちに米粒をついばみはじめたが、ほどなくひよどりの番いが飛来して雀を威嚇して餌を独り占めする形となった。この時点で前記光源から点滅紫外線、近赤外線の照射を開始したところ数秒後に先ずひよどりが、続いて雀も餌場円から飛び去った。照射を止めて数分すると一旦遠ざかっていた雀の群れが再び飛来し米粒をついばみ始めたので光源から照射を再開すると前回同様一斉に餌場円から飛び去った。雉鳩の場合は番いで餌場円の大豆を目掛けてゆっくり近づいてきたが、大豆を食べ始めた時点で前記同様照射を開始すると直ちに餌場円から飛び去った。
【００１９】
餌場円内に餌を置いたまま１時間連続して点滅紫外線、近赤外線の照射を続けたが、この間は何れの鳥も餌場円に近づくことはなかった。これまでの一連のテストにより太陽光の下においても点滅紫外線、近赤外線の降り注ぐ区域は鳥類にとっては落ち着ける環境ではないことが判明したといえる。当然のことながら夜間においても同様な効果が期待できる。
【００２０】
【発明の効果】
紫外線や近赤外線は人間にとっては不可視域の光線であるのでその存在を生理的に感知することができないが、鳥類にとってはこの範囲の光は餌の探索や適否を判定したり、僅かな明暗を認知するための重要な光線源である。しかし、点滅する紫外線や近赤外線が複雑に交錯し充満している特定区域の中では鳥類の視神経は絶えず異状な刺激を受け視覚が攪乱されるので不安を感じてこのような区域から退去せざるをえなくなる。このようにしてこれまで鳥類によって各種の被害を被ってきたすべての区域に対して点滅紫外線、近赤外線からなるバリヤーを形成するだけで鳥類はそこから退去するので従来の被害を免れることができる。
【００２１】
紫外線や近赤外線は人間には感知できないので人間の活動には何らの影響も及ぼさす、自然環境にも悪影響は残さない。しかし使用する紫外線、近赤外線の強度は人間にも、鳥類にも、その他の動物の視覚にも傷害を起こさない範囲のエネルギー密度を維持するのは当然のことである。
【００２２】
航空機に点滅紫外線、近赤外線の発光光源を装着し進行方向前方に機体を頂点とする円錐形状又は角錐形状などの光のバリヤーを形成することにより鳥類に早期に警告を与えこの区域からの退去を促すことができるので航空機と鳥との衝突事故やジェットエンジンへの鳥の吸い込み事故が避けられる。これは航空機の安全運航上大きな効果をもたらす。